(57)【要約】  【課題】測定の不確かさを求める計測器の検査・校正方法を支援するコンピュータプログラムを提供する。  【解決手段】コンピュータに、校正する計測器の測定範囲と最小測定単位との情報を記憶する手順と、校正作業場所の情報を記憶する手順と、被校正計測器の校正に使用する標準器の登録情報から標準器の不確かさ情報を取得する手順と、温度のデータを記憶する手順と、標準器を用いて測定された被校正計測器の測定結果を記憶する手順と、記録手段に保持されている不確かさ算出式の中から、被校正計測器の種別情報や校正場所に基づいて、算出に使用する不確かさ算出式を選定し、標準器の不確かさ情報、温度及び被校正計測器の測定結果を用いて、被校正計測器の測定値の不確かさを算出し、算出結果を記憶する手順と、を実行させる。一般のユーザでも、測定の不確かさを明示した計測器の校正を簡単に行うことができる。  【選択図】図１１
2009074830.tif 000002
【特許請求の範囲】
【請求項１】
コンピュータに、
入力手段から入力された、校正する計測器の測定範囲と最小測定単位との情報を含む被校正計測器の種別情報を記憶手段で保持する手順と、
入力手段から入力された、校正作業場所の情報を含む校正作業環境情報を記憶手段で保持する手順と、
入力手段から選択された、前記被校正計測器の校正に使用する標準器の登録された情報から使用標準器の不確かさ情報を取得する手順と、
入力手段から入力された、温度のデータを含む気象環境情報を記憶手段で保持する手順と、
前記使用標準器を用いて測定された前記被校正計測器の測定結果を取得して記憶手段で保持する手順と、
記録手段に保持されている不確かさ算出式の中から、前記被校正計測器の種別情報及び校正作業環境情報に基づいて、算出に使用する不確かさ算出式を選定し、前記使用標準器の不確かさ情報、気象環境情報及び被校正計測器の測定結果を用いて、前記被校正計測器の測定値の不確かさを算出し、算出結果を記憶手段で保持する手順と、
を実行させるためのプログラム。
【請求項２】
コンピュータに、
校正する計測器の測定範囲と最小測定単位との情報を含む被校正計測器の種別情報の入力を促す入力画面を表示手段に表示し、入力された前記種別情報を記憶手段で保持する手順と、
校正作業場所の情報を含む校正作業環境情報の入力を促す入力画面を表示手段に表示し、入力された前記校正作業環境情報を記憶手段で保持する手順と、
記憶手段に予め登録された標準器の一覧情報を表示して前記被校正計測器の校正に使用する標準器の選択を促す選択画面を表示手段に表示し、選択された使用標準器の登録された情報から当該使用標準器の不確かさ情報を取得する手順と、
温度のデータを含む気象環境情報の入力を促す入力画面を表示手段に表示し、入力された前記気象環境情報を記憶手段で保持する手順と、
前記使用標準器を用いて測定する前記被校正計測器での測定手順を表示手段で案内し、案内に従って行われた前記被校正計測器の測定結果を取得して記憶手段で保持する手順と、
記録手段に保持されている不確かさ算出式の中から、前記被校正計測器の種別情報及び校正作業環境情報に基づいて、算出に使用する不確かさ算出式を選定し、前記使用標準器の不確かさ情報、気象環境情報及び被校正計測器の測定結果を用いて、前記被校正計測器の測定値の不確かさを算出し、算出結果を記憶手段で保持する手順と、
を実行させるためのプログラム。
【請求項３】
請求項１または２に記載のプログラムであって、コンピュータに、さらに、算出された前記被校正計測器の測定値の不確かさを、表示手段に表示し、または、印字する手順を実行させるためのプログラム。
【請求項４】
コンピュータに、
校正する電子非自動はかりのひょう量と目量との情報を含む電子非自動はかりの種別情報の入力を促す入力画面を表示手段に表示し、入力された前記種別情報を記憶手段で保持する手順と、
校正作業場所の情報を含む校正作業環境情報の入力を促す入力画面を表示手段に表示し、入力された前記校正作業環境情報を記憶手段で保持する手順と、
常用参照標準として管理されている分銅の一覧情報を表示して前記電子非自動はかりの校正に使用する分銅の選択を促す選択画面を表示手段に表示し、選択された分銅の登録された情報から当該分銅の不確かさ情報を取得する手順と、
温度のデータを含む気象環境情報の入力を促す入力画面を表示手段に表示し、入力された前記気象環境情報を記憶手段で保持する手順と、
前記分銅を用いて測定する前記電子非自動はかりでの測定手順を表示手段で案内し、案内に従って行われた前記電子非自動はかりの測定結果を取得して記憶手段で保持する手順と、
記録手段に保持されている不確かさ算出式の中から、前記電子非自動はかりの種別情報及び校正作業環境情報に基づいて、算出に使用する不確かさ算出式を選定し、前記分銅の不確かさ情報、気象環境情報及び電子非自動はかりの測定結果を用いて、前記電子非自動はかりの測定値の不確かさを算出し、算出結果を記憶手段で保持する手順と、
算出された前記電子非自動はかりの測定値の不確かさを、表示手段に表示し、または、印字する手順と、
を実行させるためのプログラム。
【請求項５】
コンピュータに、
校正する計測器の測定範囲と最小測定単位との情報を含む被校正計測器の種別情報の入力を促す入力画面を表示手段に表示し、入力された前記種別情報を記憶手段で保持する手順と、
校正作業場所の情報を含む校正作業環境情報の入力を促す入力画面を表示手段に表示し、入力された前記校正作業環境情報を記憶手段で保持する手順と、
記憶手段に予め登録された標準器の一覧情報を表示して前記被校正計測器の校正に使用する標準器の選択を促す選択画面を表示手段に表示し、選択された使用標準器の登録された情報から当該使用標準器の不確かさ情報を取得する手順と、
温度のデータを含む気象環境情報の入力を促す入力画面を表示手段に表示し、入力された前記気象環境情報を記憶手段で保持する手順と、
前記使用標準器を用いて測定する前記被校正計測器での測定手順を表示手段で案内し、案内に従って行われた前記被校正計測器の測定結果を取得して記憶手段で保持する手順と、
記録手段に保持されている不確かさ算出式の中から、前記被校正計測器の種別情報及び校正作業環境情報に基づいて、算出に使用する不確かさ算出式を選定し、前記使用標準器の不確かさ情報、気象環境情報及び被校正計測器の測定結果を用いて、前記被校正計測器の測定値の不確かさを算出し、算出結果を記憶手段で保持する手順と、
算出した前記被校正計測器の測定値の不確かさを表示手段に表示し、または、印字する手順と、
を実行させるためのプログラムを記録したコンピュータ読み取り可能な記録媒体。
【請求項６】
電子非自動はかりの校正方法であって、
校正する電子非自動はかりのひょう量と目量との情報を含む電子非自動はかりの種別情報の入力を促す入力画面を表示手段に表示し、入力された前記種別情報を記憶手段で保持する第１のステップと、
校正作業場所の情報を含む校正作業環境情報の入力を促す入力画面を表示手段に表示し、入力された前記校正作業環境情報を記憶手段で保持する第２のステップと、
常用参照標準として管理されている分銅の一覧情報を表示して前記電子非自動はかりの校正に使用する分銅の選択を促す選択画面を表示手段に表示し、選択された分銅の登録された情報から当該分銅の不確かさ情報を取得する第３のステップと、
温度のデータを含む気象環境情報の入力を促す入力画面を表示手段に表示し、入力された前記気象環境情報を記憶手段で保持する第４のステップと、
前記分銅を用いて測定する前記電子非自動はかりでの測定手順を表示手段で案内し、案内に従って行われた前記電子非自動はかりの測定結果を取得して記憶手段で保持する第５のステップと、
記録手段に保持されている不確かさ算出式の中から、前記電子非自動はかりの種別情報及び校正作業環境情報に基づいて、算出に使用する不確かさ算出式を選定し、前記分銅の不確かさ情報、気象環境情報及び電子非自動はかりの測定結果を用いて、前記電子非自動はかりの測定値の不確かさを算出し、算出結果を記憶手段で保持する第６のステップと、
算出した前記電子非自動はかりの測定値の不確かさを表示手段に表示し、または、印字する第７のステップと、
を備えることを特徴とする電子非自動はかりの校正方法。
【請求項７】
請求項６に記載の電子非自動はかりの校正方法であって、前記第５のステップで、前記電子非自動はかりの測定結果を、当該電子非自動はかりからオンラインで取得して記憶手段で保持することを特徴とする電子非自動はかりの校正方法。
【請求項８】
請求項６に記載の電子非自動はかりの校正方法であって、前記第５のステップで、入力手段から入力された前記電子非自動はかりの測定結果を記憶手段で保持することを特徴とする電子非自動はかりの校正方法。
【発明の詳細な説明】
【技術分野】
【０００１】
本発明は、電子非自動はかりを検査・校正する方法と、これらの計測器の検査・校正を支援するコンピュータプログラムと、そのプログラムが記録された記録媒体に関し、一般ユーザが、計測器の検査・校正を容易に実施できるようにしたものである。
【背景技術】
【０００２】
従来から、工場の製造現場や研究機関では多数の計測器が使用されており、生産される部品や製品の精度は、計測器の精度に大きく依存している。この計測器の信頼性を確保するためには、特定の計量標準と比較して、計測器の特性を明らかにする“校正”が必要である。
我が国では、計量法校正事業者認定制度（JCSS:Japan Calibration Service System）が設けられており、この制度の下で認定された校正事業者は、ユーザの計測器に校正を行った場合に、ＪＣＳＳのロゴ付き校正証明書を発行することができる。
【０００３】
校正の証明に対しては、国際的に次の条件が求められている。
（１）校正に使用された標準が国家標準へのトレーサビリティが取れていること、
（２）「測定の不確かさ」が提示されていること、
（３）校正機関がＩＳＯ／ＩＥＣ１７０２５に適合していること。
経済活動が国際化している現在、部品や製品の国際間での円滑な流通を図る上で、国際基準に準拠した校正の証明は、極めて重要である。
ＪＣＳＳでは、ＩＳＯ／ＩＥＣ１７０２５を基準に事業者を認定している。ＪＣＳＳ認定事業者は、特定標準器または特定標準物質により校正された特定二次標準器により校正され、または、特定二次標準器に連鎖した計測器により校正された常用参照標準を用いて校正を行い、「測定の不確かさ」を見積り、その見積り表を校正証明書に添付する。そのため、ＪＣＳＳのロゴ付き校正証明書は、（１）（２）（３）の条件を満たしており、国際的に通用する。
【０００４】
ここで、「測定の不確かさ」について説明する。
「不確かさ」は、「測定の結果に付随した、合理的な測定量に結びつけられ得る値のばらつきを特徴づけるパラメータ」と定義されている。即ち、「誤差」が「真の値」からの測定値のずれを示すものであるのに対し、「不確かさ」は、測定値からどの程度のばらつきの範囲内に「真の値」があるかを示している。そもそも「誤差」を定量的に表現するのは不可能であるので（「真の値」は誰にも分からない理想的な量であり、「真の値」が分からないので「誤差」も知ることができない）、{ HYPERLINK "http://ja.wikipedia.org/wiki/c¢oc≡≡" \o "確率" ,確率}的に表現することで定量化しようとしたのが「不確かさ」である。
具体的には、考えられる全ての誤差要因を洗い出し、各要因のばらつきを求め、それらを合成して計測の「不確かさ」が算出される（下記特許文献１参照）。
例えば、電子非自動はかりの場合では、「不確かさ」をもたらす要因として、図３０に示す各誤差要因を挙げることができる。
【０００５】
これらの要因のばらつきは、測定データを取り標準偏差を求める統計的方法によって評価され（Ａタイプ）、あるいは、文献等のデータより分布を推定し分布に応じた計算を適用する方法等で評価される（Ｂタイプ）。
こうした手法で求めた不確かさは、各不確かさの二乗和の平方根を取ることにより“合成標準不確かさ”として合成され、合成標準不確かさに包含係数（ｋ）を乗じて“拡張不確かさ”が算出される。
はかりの校正には、計測の信頼性の確認を目指すユーザの要求を実現する評価手法が求められる。このため、各種の不確かさの要因の中で有意なものを選択し、ユーザの使用状況に即した現実的な不確かさを見積もることが重要とされている。
【特許文献１】特開２００６−２１５０１１号公報
【発明の開示】
【発明が解決しようとする課題】
【０００６】
部品や製品の国際間の流通が普遍化している現在では、測定の不確かさを明示した計測器の校正は、校正事業者の校正だけでなく、ユーザ自身が計測器の校正を行う場合にも必要であり、計測器の「測定の不確かさ」を確認し、国際的に認知され得る信頼性を維持できるように計測器の管理に努めることが求められる。
しかし、測定の不確かさの算出は、極めて複雑であり、特別の訓練を受けた専門家以外の人には、不確かさを見積ることが難しい。
【０００７】
本発明は、こうした事情を考慮して創案したものであり、測定の不確かさを求める計測器の検査・校正方法を支援するコンピュータプログラムと、そのプログラムが記録された記録媒体とを提供し、また、測定の不確かさを求める電子非自動はかりの校正方法を提供することを目的としている。
【課題を解決するための手段】
【０００８】
本発明のコンピュータプログラムは、コンピュータに、入力手段から入力された、校正する計測器の測定範囲と最小測定単位との情報を含む被校正計測器の種別情報を記憶手段で保持する手順と、入力手段から入力された、校正作業場所の情報を含む校正作業環境情報を記憶手段で保持する手順と、入力手段から選択された、前記被校正計測器の校正に使用する標準器の登録された情報から使用標準器の不確かさ情報を取得する手順と、入力手段から入力された、温度のデータを含む気象環境情報を記憶手段で保持する手順と、前記使用標準器を用いて測定された前記被校正計測器の測定結果を取得して記憶手段で保持する手順と、記録手段に保持されている不確かさ算出式の中から、前記被校正計測器の種別情報及び校正作業環境情報に基づいて、算出に使用する不確かさ算出式を選定し、前記使用標準器の不確かさ情報、気象環境情報及び被校正計測器の測定結果を用いて、前記被校正計測器の測定値の不確かさを算出し、算出結果を記憶手段で保持する手順と、を実行させる。
コンピュータは、このコンピュータプログラムに従って、校正する計測器の測定範囲や最小測定単位、及び、校正作業の場所（校正室か製造現場か）等に応じて、不確かさ算出式を選定し、その式を用いて、常用参照標準の不確かさ、はかりに起因する不確かさ、環境条件に起因する不確かさ等を算出する。
【０００９】
また、本発明のコンピュータプログラムは、コンピュータに、校正する計測器の測定範囲と最小測定単位との情報を含む被校正計測器の種別情報の入力を促す入力画面を表示手段に表示し、入力された前記種別情報を記憶手段で保持する手順と、校正作業場所の情報を含む校正作業環境情報の入力を促す入力画面を表示手段に表示し、入力された前記校正作業環境情報を記憶手段で保持する手順と、記憶手段に予め登録された標準器の一覧情報を表示して前記被校正計測器の校正に使用する標準器の選択を促す選択画面を表示手段に表示し、選択された使用標準器の登録された情報から当該使用標準器の不確かさ情報を取得する手順と、温度のデータを含む気象環境情報の入力を促す入力画面を表示手段に表示し、入力された前記気象環境情報を記憶手段で保持する手順と、前記使用標準器を用いて測定する前記被校正計測器での測定手順を表示手段で案内し、案内に従って行われた前記被校正計測器の測定結果を取得して記憶手段で保持する手順と、記録手段に保持されている不確かさ算出式の中から、前記被校正計測器の種別情報及び校正作業環境情報に基づいて、算出に使用する不確かさ算出式を選定し、前記使用標準器の不確かさ情報、気象環境情報及び被校正計測器の測定結果を用いて、前記被校正計測器の測定値の不確かさを算出し、算出結果を記憶手段で保持する手順と、を実行させる。
コンピュータは、このコンピュータプログラムに従って、ユーザの入力をＧＵＩ（グラフィカル・ユーザ・インターフェイス）により誘導する。
【００１０】
また、本発明のコンピュータプログラムでは、コンピュータに、さらに、算出された前記被校正計測器の測定値の不確かさを、表示手段に表示し、または、印字する手順を実行させる。
コンピュータは、このコンピュータプログラムに従って、計測器の測定の不確かさを表示画面に表示し、また、プリンタから校正結果として印刷させる。
【００１１】
また、本発明のコンピュータプログラムは、コンピュータに、校正する電子非自動はかりのひょう量と目量との情報を含む電子非自動はかりの種別情報の入力を促す入力画面を表示手段に表示し、入力された前記種別情報を記憶手段で保持する手順と、校正作業場所の情報を含む校正作業環境情報の入力を促す入力画面を表示手段に表示し、入力された前記校正作業環境情報を記憶手段で保持する手順と、常用参照標準として管理されている分銅の一覧情報を表示して前記電子非自動はかりの校正に使用する分銅の選択を促す選択画面を表示手段に表示し、選択された分銅の登録された情報から当該分銅の不確かさ情報を取得する手順と、温度のデータを含む気象環境情報の入力を促す入力画面を表示手段に表示し、入力された前記気象環境情報を記憶手段で保持する手順と、前記分銅を用いて測定する前記電子非自動はかりでの測定手順を表示手段で案内し、案内に従って行われた前記電子非自動はかりの測定結果を取得して記憶手段で保持する手順と、記録手段に保持されている不確かさ算出式の中から、前記電子非自動はかりの種別情報及び校正作業環境情報に基づいて、算出に使用する不確かさ算出式を選定し、前記分銅の不確かさ情報、気象環境情報及び電子非自動はかりの測定結果を用いて、前記電子非自動はかりの測定値の不確かさを算出し、算出結果を記憶手段で保持する手順と、算出された前記電子非自動はかりの測定値の不確かさを、表示手段に表示し、または、印字する手順と、を実行させる。
コンピュータは、このコンピュータプログラムに従って、不確かさの見積りが可能な電子非自動はかりの検査・校正を支援する。
【００１２】
また、本発明の記録媒体は、コンピュータ読み取り可能な記録媒体であって、コンピュータに、校正する計測器の測定範囲と最小測定単位との情報を含む被校正計測器の種別情報の入力を促す入力画面を表示手段に表示し、入力された前記種別情報を記憶手段で保持する手順と、校正作業場所の情報を含む校正作業環境情報の入力を促す入力画面を表示手段に表示し、入力された前記校正作業環境情報を記憶手段で保持する手順と、記憶手段に予め登録された標準器の一覧情報を表示して前記被校正計測器の校正に使用する標準器の選択を促す選択画面を表示手段に表示し、選択された使用標準器の登録された情報から当該使用標準器の不確かさ情報を取得する手順と、温度のデータを含む気象環境情報の入力を促す入力画面を表示手段に表示し、入力された前記気象環境情報を記憶手段で保持する手順と、前記使用標準器を用いて測定する前記被校正計測器での測定手順を表示手段で案内し、案内に従って行われた前記被校正計測器の測定結果を取得して記憶手段で保持する手順と、記録手段に保持されている不確かさ算出式の中から、前記被校正計測器の種別情報及び校正作業環境情報に基づいて、算出に使用する不確かさ算出式を選定し、前記使用標準器の不確かさ情報、気象環境情報及び被校正計測器の測定結果を用いて、前記被校正計測器の測定値の不確かさを算出し、算出結果を記憶手段で保持する手順と、算出した前記被校正計測器の測定値の不確かさを表示手段に表示し、または、印字する手順と、を実行させるためのプログラムを記録している。
この記録媒体に記録されたプログラムを読み取ったコンピュータは、そのプログラムに基づく動作により、不確かさの見積りが可能な計測器の検査・校正を支援することができる。
【００１３】
また、本発明の校正方法は、電子非自動はかりの校正方法であって、校正する電子非自動はかりのひょう量と目量との情報を含む電子非自動はかりの種別情報の入力を促す入力画面を表示手段に表示し、入力された前記種別情報を記憶手段で保持する第１のステップと、  校正作業場所の情報を含む校正作業環境情報の入力を促す入力画面を表示手段に表示し、入力された前記校正作業環境情報を記憶手段で保持する第２のステップと、常用参照標準として管理されている分銅の一覧情報を表示して前記電子非自動はかりの校正に使用する分銅の選択を促す選択画面を表示手段に表示し、選択された分銅の登録された情報から当該分銅の不確かさ情報を取得する第３のステップと、温度のデータを含む気象環境情報の入力を促す入力画面を表示手段に表示し、入力された前記気象環境情報を記憶手段で保持する第４のステップと、前記分銅を用いて測定する前記電子非自動はかりでの測定手順を表示手段で案内し、案内に従って行われた前記電子非自動はかりの測定結果を取得して記憶手段で保持する第５のステップと、記録手段に保持されている不確かさ算出式の中から、前記電子非自動はかりの種別情報及び校正作業環境情報に基づいて、算出に使用する不確かさ算出式を選定し、前記分銅の不確かさ情報、気象環境情報及び電子非自動はかりの測定結果を用いて、前記電子非自動はかりの測定値の不確かさを算出し、算出結果を記憶手段で保持する第６のステップと、算出した前記電子非自動はかりの測定値の不確かさを表示手段に表示し、または、印字する第７のステップと、を備えることを特徴とする。
この校正方法により、電子非自動はかりの検査・校正に際し、測定の不確かさを見積ることができる。
【００１４】
また、本発明の校正方法では、前記第５のステップで、前記電子非自動はかりの測定結果を、当該電子非自動はかりからオンラインで取得して記憶手段で保持することが可能である。
電子非自動はかりとコンピュータとの間でマッチングが取れている場合は、電子非自動はかりから、コンピュータに測定結果のデータが直接送られる。
【００１５】
また、本発明の校正方法では、前記第５のステップで、入力手段から入力された前記電子非自動はかりの測定結果を記憶手段で保持することができる。
コンピュータとマッチングが取れていない電子非自動はかりであっても、測定結果を手入力することで、校正での測定の不確かさを見積ることができる。
【発明の効果】
【００１６】
本発明によれば、一般のユーザであっても、測定の不確かさを明示した計測器の校正を簡単に行うことができる。
【発明を実施するための最良の形態】
【００１７】
本発明の実施形態として、電子非自動はかりの校正方法を図面に基づいて説明する。
図１は、この校正方法に使用するパーソナルコンピュータ（ＰＣ）を示す図、図２は、校正方法の手順を示すフロー図、図３は、不確かさの算出手順を示すフロー図、図４〜図１０は、図３のフロー図における各手順の詳細手順を示すフロー図、図１３〜図２７は、ＰＣのＧＵＩ画面を示す図、図２８及び図２９は、校正結果を印刷した紙片を示す図である。
図１に示すように、ＰＣ１０は、記録媒体に記録されたプログラムを読み取る記録媒体読取装置１１と、プログラムが格納されるメモリ１４と、プログラムに従って校正方法を制御するＣＰＵ１３と、電子非自動はかり４０から入力した計測結果をＣＰＵ１３に送るインタフェース（Ｉ／Ｆ）１５と、ＣＰＵ１３の指示に基づいてプリンタ３０での印刷を制御する印字部１６と、ＣＰＵ１３の指示に基づいて表示器２２にＧＵＩ画面を表示するＧＵＩ１７と、キーボード２０やマウス２１からの入力を受付ける入力部１８と、校正データ等を記録する記録装置１９とを備えている。
【００１８】
この実施形態の校正方法では、ユーザが、表示器２２に画面表示された指示に従って入力操作や選択操作、あるいは、電子非自動はかりの計測操作を順次行っていけば、不確かさの明示された校正結果が得られるように構成されている。
図１３は、表示器２２に表示されるメニュー画面を示している。ユーザは、検査・校正を開始する前に、予め「はかり登録」及び「分銅登録」を行う必要がある。
「はかり登録」ボタンをクリックすると、図１４に示す「はかり登録画面」が表示される。ユーザは、この画面から「はかりの製造者」「型式」「器物番号」「ひょう量（測定範囲）」「目量（最小単位）」「目量形態（単目量／複目量／多目量）」「表示単位（ｋｇ、ｇ等）」「内蔵分銅の有無」「読取時間」等、はかりの取扱説明書等に記載されている情報を登録し、また、定期的に実施するはかり検査の周期や次回のはかり検査の月日を登録する。これらのはかり登録情報は、記録装置１９で保持される。
【００１９】
なお、「単目量」は、全計測範囲を同一目量で計測する形態、「複目量」は、切換により全計測範囲を異なる目量で計測できる形態（複数のはかりを有しているとみなせる）、「多目量」は、全計測範囲を複数の区域に分け、各区域を異なる目量で計測する形態を言う。
【００２０】
また、メニュー画面（図１３）の「分銅登録」ボタンをクリックすると、図１５に示す「分銅登録画面」が表示される。ユーザは、この画面から、分銅の「個別番号」「公称値」「協定質量」「拡張不確かさ」「不確かさ及び経時変化の分散」等、校正結果が添付された分銅の校正証明書に記載されている情報を登録する。これらの分銅登録情報は、記録装置１９で保持される。
なお、「協定質量」とは、２０℃の状態で１．２ｋｇ／ｍ3 の密度の空気中において、８０００ｋｇ／ｍ3 の密度をもつ参照分銅と釣り合ったときの質量を言う。
また、これらの分銅に関する基礎データは、別途開発した分銅管理ソフトから、その登録データを受け取ることもできる。
【００２１】
さて、メニュー画面（図１３）の「検査・校正開始」ボタンをクリックすると、ユーザの入力や選択操作を促す画面、あるいは、電子非自動はかりの計測操作をガイドする画面が順次表示され、電子非自動はかりの校正が行われるのであるが、画面の変化は後述するとして、校正時のＣＰＵ１３の動作を図２のフロー図を用いて説明する。
ＣＰＵ１３は、ＧＵＩ画面から入力された情報や選択された情報を通じて、「ひょう量（測定範囲）」「目量（最小単位）」「目量形態（単目量／複目量／多目量）」「表示単位（ｋｇ、ｇ等）」「はかりの温度係数」等の情報を含む校正対象の電子非自動はかりの種別情報を取得し（ステップ１）、校正が行われる場所等の情報を含む校正作業環境情報を取得し（ステップ２）、また、使用する常用参照標準（分銅）の「公称値」「協定質量」「拡張不確かさ」「不確かさ及び経時変化の分散」等の情報を取得する（ステップ３）。
さらに、温度の情報を含む気象環境情報を取得する（ステップ４）。特に、温度情報は、校正処理中の温度変化を知るために、繰り返し求める。
【００２２】
次いで、ＧＵＩ画面を通じて、ユーザに電子非自動はかりの計測操作をガイドし、その計測結果を取得する（ステップ５）。
電子非自動はかりの検査・校正では、「繰り返し性検査」（ステップ５１）、「偏置荷重検査」（ステップ５２）、及び「正確さ検査」（ステップ５３）の三種類が行われる。
「繰り返し性検査」は、はかりの指示値（表示された値）をゼロに設定した後、試験荷重Ｐを計量皿の中心に加えて計測する操作を複数回繰り返す。ひょう量１００ｋｇ以下のはかりは６回、ひょう量１００ｋｇを超えるはかりは３回の測定を行い、測定データから分散Ｖｗを求める。試験荷重Ｐは、単目量及び複目量では、０．１Ｍａｘ≦Ｐ≦Ｍａｘ（Ｍａｘは、はかりの最大ひょう量）の条件を満たすように設定し、多目量では、０．７Ｍａｘ１≦Ｐ≦Ｍａｘ１（Ｍａｘ１は、多目量はかりの最小目量を持つ部分計量範囲の最大ひょう量）の条件を満たすように設定する。試験荷重Ｐは単体の分銅を用いて実現することが好ましい。
【００２３】
「偏置荷重検査」は、図１２（ａ）（ｂ）に示すように、方形や円形等の計量皿を４等分し、各分割面積の重心位置に試験荷重Ｐを加えたときの指示値と計量皿の中央に試験荷重Ｐを加えたときの指示値との偏差を測定する。図１２の円で囲んだ数字で示すように、はかりの指示値をゼロに設定した後、１の位置（中央）に試験荷重Ｐを加えて計測し、次に、２の位置に試験荷重Ｐを加えて計測し、同様に、３、４、５の位置に順番に試験荷重Ｐを加えて計測し、最後に再び１’の位置（中央）に試験荷重Ｐを加えて計測する。計量皿の中央に試験荷重Ｐを加えたときの指示値には、最初の測定値（１）と最後の測定値（１’）との平均値を使用する。試験荷重Ｐは、単目量及び複目量では、０．３Ｍａｘ≦Ｐ≦Ｍａｘの条件を満たすように設定し、多目量では、Ｐ＝０．３ＭａｘＮ（ＭａｘＮは、多目量はかりの最大ひょう量）に設定する。試験荷重Ｐは単体の分銅を用いて実現する。
【００２４】
「正確さ検査」は、はかりの指示値をゼロに設定した後、計量皿の中央に試験荷重Ｐ1（＝Ｐ）を加えて計測し、次に、はかりの指示値をゼロに設定した後、計量皿の中央に試験荷重Ｐ2（＝２Ｐ）を加えて計測し、同様に、試験荷重Ｐ3（＝３Ｐ）、試験荷重Ｐ4（＝４Ｐ）、試験荷重Ｐ5（＝５Ｐ）、試験荷重Ｐ6（＝Ｍａｘ）についての計測を行い、各荷重における指示値Ｗiの偏差（正確さ）を求める。この場合、Ｐは最大ひょう量（Ｍａｘ）の約１／６に設定する。また、Ｐを最大ひょう量（Ｍａｘ）の約１／４に設定し、試験荷重Ｐ1（＝Ｐ）、Ｐ2（＝２Ｐ）、Ｐ3（＝３Ｐ）、Ｐ4（＝Ｍａｘ）を測定点とする４回の測定を行い、あるいは、Ｐを最大ひょう量（Ｍａｘ）の約１／５に設定し、試験荷重Ｐ1（＝Ｐ）、Ｐ2（＝２Ｐ）、Ｐ3（＝３Ｐ）、Ｐ4（＝４Ｐ）、Ｐ5（＝Ｍａｘ）を測定点とする５回の測定を行うようにしても良い。
各試験における、はかり４０の計測値は、Ｉ／Ｆ１５から取り込まれて記録装置１９に記録される。
ＣＰＵ１３は、「正確さ検査」の計測値から、次式（数１）により、各荷重における偏差（Ａi）を算出する（ステップ６）。
Ａi  ＝  Ｗi −｛Ｐi ＋ （ｅi）｝              （数１）
ここで、Ｗiは指示値である。また、Ｐi ＋（ｅi）＝協定質量であり、Ｐiは校正分銅の公称値、ｅiは校正分銅の補正値を表している。
また、相対偏差ａiは、次式（数２）により算出する。
ａi  ＝  Ａi／Ｐi                            （数２）
なお、目量が１ｍｇ未満のはかりの場合は、試験荷重Ｐiに風袋荷重Ｔiを加えて測定点を設定しても良い。この場合、試験荷重は計量皿の中心に置き、風袋荷重は、計量皿の偏置した位置に置く。
【００２５】
次に、ＣＰＵ１３は、メモリ１４で保持されている不確かさ算出式を用いて、測定の不確かさを算出する（ステップ７）。
この不確かさの算出は、図３のフロー図に示す手順で行われる。
第１に、「繰り返し性検査」の測定結果を用いて、繰り返し性の分散Ｖｗを算出する（ステップ７１）。
具体的には、図４に示すように、校正対象のはかりのひょう量が１００ｋｇ以下か否かを識別し（ステップ７１１）、ひょう量が１００ｋｇ以下のとき（即ち、６回の測定が行われているとき）は、ステップ７１２の数式により標準偏差Ｓｗを算出する。また、ひょう量が１００ｋｇ超のとき（即ち、３回の測定が行われているとき）は、ステップ７１３の数式によりＳｗを算出する。ここで、Ｍａｘ（Ｗ1：Ｗ3）は、３回の測定で求めた指示値（Ｗ1、Ｗ2、Ｗ3）の最大の指示値を表し、Ｍｉｘ（Ｗ1：Ｗ3）は、３回の測定で求めた指示値の最小の指示値を表している。
ステップ７１２またはステップ７１３の数式で求めた標準偏差Ｓｗを二乗して繰り返し性の分散Ｖｗを算出する（ステップ７１４）。
【００２６】
次に、指示値の丸め誤差の分散Ｖｒを算出する（ステップ７２）。
具体的には、図５に示すように、校正対象のはかりの目量形態を識別し（ステップ７２１）、単目量のときは、目量をｄとして、ｄ2×１／６によりＶｒを算出する（ステップ７２２）。複目量のときは、校正対象の目量をｄiとして、ｄi2×１／６によりＶｒを算出する（ステップ７２３）。多目量のときは、第１計量範囲の目量をｄ1、第ｉ計量範囲の目量をｄiとするとき、（ｄ12×１／１２）＋（ｄi2×１／１２）によってＶｒ（ｉ）を算出し（ステップ７２４）、Ｖｒ（ｉ）の最大値をＶｒとする（ステップ７２５）。
【００２７】
次に、「偏置荷重検査」の測定結果を用いて、偏置荷重による相対分散Ｖｅを算出する（ステップ７３）。
具体的には、図６に示すように、最初に計量皿の中央に試験荷重Ｐを置いたときの指示値と最後に計量皿の中央に試験荷重Ｐを置いたときの指示値との平均値Ｗ1を求め、荷重を２の位置に置いたときの測定値Ｗ2とＷ1との差分ｂ2、３の位置に置いたときの測定値Ｗ3とＷ1との差分ｂ3、４の位置に置いたときの測定値Ｗ4とＷ1との差分ｂ4、５の位置に置いたときの測定値Ｗ5とＷ1との差分ｂ5をそれぞれ算出する（ステップ７３１）。
次に、ｂ2〜ｂ5の最大値の絶対値Ａを求め（ステップ７３２）、ｂ2〜ｂ5の最小値の絶対値Ｂを求める（ステップ７３３）。次に、ＡとＢの大きさを比較して（ステップ７３４）、大きい方を最大差Ｅとする（ステップ７３５、７３６）。
次に、校正対象のはかりの目量形態を識別し（ステップ７３７）、単目量のときは、ひょう量（Ｍａｘ）の１／３の値（Ｍａｘ／３）を試験荷重Ｐで除し、その値に最大差Ｅを乗じて偏差Ｅ１を求める（ステップ７３８）。この偏置荷重検査では、試験荷重をひょう量の１／３荷重としたときの測定結果が参照値となる。ステップ７３８は、測定結果をひょう量の１／３荷重に正規化するための処理である。この偏差Ｅ１の分散Ｖｅは、
Ｖｅ＝（Ｅ１／Ｍａｘ）2 ×１／３
によって算出する（ステップ７３９）。複目量のときは、最大差Ｅを校正対象のひょう量（ＭａｘＡ）の１／３荷重に正規化して偏差Ｅ１を算出し（ステップ７３１０）、この偏差Ｅ１の分散Ｖｅを算出する（ステップ７３１１）。
多目量のときは、試験荷重Ｐをひょう量（ＭａｘＮ）の１／３荷重に設定する（ステップ７３１２）。この場合、最大差Ｅ＝偏差Ｅ１となり（ステップ７３１３）、この偏差Ｅ１の分散Ｖｅを算出する（ステップ７３１４）。
【００２８】
次に、はかりの温度特性による相対分散Ｖｔを算出する（ステップ７４）。
具体的には、図７に示すように、測定中の最高温度（ＴMax）と最低温度（ＴMin）との差分（ΔＴ）を算出し（ステップ７４１）、
Ｖｔ＝（ΔＴ×ＴＫ×１０-6）2 ×１／１２
（ＴＫは、はかりの温度特性。なお、ＴＫの数値はｐｐｍ単位で表示されているため、ＴＫの数値に１０-6を乗算している。）
により、温度特性による相対分散Ｖｔを算出する。
【００２９】
次に、常用参照標準の相対分散Ｖｋを算出する（ステップ７５）。
具体的には、図８に示すように、校正が行われた場所を識別し（ステップ７５１）、校正室で行われた場合は、常用参照標準の校正証明書に記載された不確かさから、不確かさの分散ｖｋを次式により算出する。
ｖｋ＝｛（ΣＵｉ）／ｋ｝2
ここで、ｋは包含係数であり、ｋ＝２に設定されているから、不確かさの分散ｖｋは、
ｖｋ＝｛（ΣＵｉ）／２｝2
となる。また、常用参照標準の経時変化から、経時変化の分散ｖｄを次式により算出する。
ｖｄ＝｛（ΣＵｉ）／３1/2｝2
常用参照標準の相対分散Ｖｋは、これらを加算して、
Ｖｋ＝  ｖｋ＋ｖｄ
＝｛（ΣＵｉ）／２｝2＋｛（ΣＵｉ）／３1/2｝2
によって算出する（ステップ７５２）。
校正が現場で行われているときは、ｖｋのΣＵｉに１．５を乗じ、
Ｖｋ＝  ｖｋ＋ｖｄ
＝｛（１．５×ΣＵｉ）／２｝2＋｛（ΣＵｉ）／３1/2｝2
から常用参照標準の相対分散Ｖｋを算出する（ステップ７５３）。
次に、校正を行ったはかりの表示単位を識別し（ステップ７５４）、表示単位がグラム（ｇ）のときは、算出したＶｋを常用参照標準の相対分散とし（ステップ７５５）、表示単位がキログラム（ｋｇ）のときは、算出したＶｋを１０6で除した値を常用参照標準の相対分散とする（ステップ７５６）。
【００３０】
次に、ステップ７１、ステップ７２、ステップ７３、ステップ７４及びステップ７５で求めた分散を用いて、「正確さ検査」の計測値に対する「合成標準不確かさｕ」を算出する（ステップ７６）。
具体的には、図９に示すように、繰り返し性の分散Ｖｗ、指示値の丸め誤差の分散Ｖｒ及び常用参照標準の相対分散Ｖｋは負荷に独立であるが、偏置荷重による相対分散Ｖｅ及び温度特性による相対分散Ｖｔは、計測値に比例するため、「正確さ検査」の計測値Ｗの二乗を乗じて（Ｖｅ・Ｗ2）、（Ｖｔ・Ｗ2）とし、次式によりｕを算出する（ステップ７６１）。
ｕ  ＝  （Ｖｗ＋Ｖｒ＋Ｖｋ＋Ｖｅ・Ｗ2＋Ｖｔ・Ｗ2）1/2
【００３１】
次に、「合成標準不確かさｕ」に包含係数ｋを乗じて、「正確さ検査」の計測値に対する「拡張不確かさＵ」を算出する（ステップ７７）。
具体的には、図１０に示すように、校正を行ったはかりの表示単位を識別し（ステップ７７１）、表示単位がグラム（ｇ）のときは、合成標準不確かさｕにｋ（＝２）を乗じ、次式により拡張不確かさＵを算出する（ステップ７７２）。
Ｕ  ＝  ２（Ｖｗ＋Ｖｒ＋Ｖｋ＋Ｖｅ・Ｗ2＋Ｖｔ・Ｗ2）1/2
なお、包含係数ｋ＝２を乗じることにより、不確かさの信頼レベルは、およそ９５％に達する。
また、表示単位がキログラム（ｋｇ）のときは、ステップ７７２で求めた値を１０6で除して拡張不確かさＵとする。
こうして拡張不確かさＵを算出すると、図２のフロー図に戻り、「正確さ検査」の計測値に対する偏差及び拡張不確かさを表した校正結果を画面に表示し、あるいは、プリントアウトする（ステップ８）。
【００３２】
さて、はかりの校正を行うユーザが、メニュー画面（図１３）の「検査・校正開始」ボタンをクリックすると、図１６の校正設定画面が表示される。ユーザは、この設定画面から「校正実施者」「校正実施日」「校正場所」の情報を入力する。また、事前登録された校正対象のはかりを「はかり検索」で選択すると、そのはかりのデータが「器物番号」「製造者」「型式」「ひょう量」「目量」「目量の形態」に表示される。データが存在しない項目には表示されない。このとき「丸め誤差」は、はかりのひょう量と目量とから自動的に算出される。
【００３３】
図１６の画面の全ての項目に入力した後、「次へ」をクリックすると、図１７の画面が表示される。ユーザは、この画面から「表示の安定性（良/不良の選択）」「気流の影響（良/不良の選択）」「自動ゼロ設計機能（動作/停止の選択）」「環境計測器の状態（良/不良の選択）」「据付状態（良/不良の選択）」「読取時間」を設定する。
図１７の画面の全ての項目に入力した後、「次へ」をクリックすると、図１８の使用分銅登録画面が表示される。「登録済み分銅参照」ボタンをクリックすると、事前に登録された分銅の一覧が表示され、ユーザが、その中から使用する分銅を選択すると、その分銅の「個別番号」「公称値」「協定質量」「拡張不確かさ」「不確かさ及び経時変化の分散」等の情報が取り込まれる。なお、分銅については事前に登録しておく必要があり、この画面から手入力することはできない。
【００３４】
図１８の画面で分銅を選択した後、「次へ」をクリックすると、図１９の画面が表示される。ユーザは、この画面から計量モードの「自動」または「手動」を選択する。「自動」を選択したときは、「繰り返し性検査」「偏置荷重検査」及び「正確さ検査」のときのはかりの指示値が自動で読み取られる。「手動」を選択したときは、この指示値を手動で入力する。また、ユーザは「校正開始時間」「校正前温度」を入力する。さらに、校正に湿度、気圧情報を使用するときは、画面の項目にチェックを入れ、「校正前湿度」「校正前気圧」を入力する。
【００３５】
図１９の画面で必要事項を入力した後、「校正開始」をクリックすると図２０の画面が表示される。校正に際して「前負荷」を加えたり、「スパン調整」を行ったりした場合に、それらの事前操作は、この画面から記録される。
これらの画面を通じて入力され、または選択された情報は、全て記録装置１９に記録される。そのため、後日、校正についての検証や比較を行うことが可能であり、きめ細かな校正管理が実施できる。また、入力・選択された情報の幾つかは、先に見たように、不確かさ算出式を選定するために使用される。
【００３６】
図２０の画面で必要事項を入力した後、「次の校正項目へ」をクリックすると図２１の「繰り返し性検査」の案内画面が表示される。ユーザは「試験荷重」を手入力し、はかりに分銅を載せて計量する。計量モードが「自動」の場合は、「開始」ボタンをクリックすると、読み取り時間経過後に、はかりの指示値が自動で読み取られ、その値が画面の該当欄に表示される。計量モードが「手動」の場合は、ユーザがはかりの指示値を読み取り、該当欄に入力する。この場合、「開始」ボタンは無効となる。
１回の測定が終了する毎に、ユーザは、ゼロ点の戻りをチェックする。チェックしないと、次の測定に進まない。繰り返し性検査の測定回数は、はかりのひょう量から自動で判断され、所要回数の測定が終了しないと、次の「偏置荷重検査」に進まない。また、ユーザは校正中温度を入力する。入力しないと次の「偏置荷重検査」に進まない。
【００３７】
図２１の画面で必要事項を全て入力して「次の校正項目へ」をクリックすると、図２２の「偏置荷重検査」の画面が表示される。ユーザが「試験荷重」を手入力し、最初に表示をゼロに設定した後、計量皿の１の位置（中央）に試験荷重を載せると、その指示値が指示値（１）の欄に表示される。続いて、計量皿の２の位置、３の位置、４の位置、５の位置に順に試験荷重を乗せていくと、その指示値が該当欄に表示され、最後に計量皿の１’の位置（中央）に試験荷重を載せると、その指示値（１’）が指示値（１’）の欄に表示されるとともに、指示値（１）及び指示値（１’）の平均値と各指示値（２）（３）（４）（５）との差分が該当欄に表示される。
図２２の画面で必要事項を全て入力して「次の校正項目へ」をクリックすると、図２３の「正確さ検査」の画面が表示される。ユーザが、校正点及び試験荷重を入力し、はかりに分銅を載せて計量を行うと、「自動」計量モードの場合、該当欄に、はかりの指示値が記入され、（数１）で算出された偏差が記入される。また、「手動」計量モードの場合、はかりの指示値をユーザが手入力すると、偏差が自動で算出されて該当欄に記入される。
【００３８】
図２３の画面で必要事項を全て入力して「次の校正項目へ」をクリックすると、図２４の画面が表示される。ユーザが「校正後温度」を入力すると、ΔＴが自動的に算出されて表示される。また、ＴＫ（はかりの温度特性）を入力すると、温度特性による相対分散Ｖｔが自動的に算出されて表示される。また、図１９の画面で、校正に湿度、気圧情報を使用する設定を行ったときは、「校正後湿度」「校正後気圧」を入力する。校正は、この画面で終了となる。
【００３９】
図２４の画面で必要事項を全て入力して「校正終了」をクリックすると、計量値Ｗに対して不確かさの要因別の分散の大きさが表示された不確かさの見積もり表（図２５）や、計量値Ｗに対して偏差と拡張不確かさとが表示された校正結果（図２６）が表示され、また、校正結果印刷画面（図２７）から所要の設定を行うことにより、図２８や図２９に例示する紙片を印刷することができる。
このように、この校正方法では、電子非自動はかりの不確かさを明示した校正を簡単に行うことができる。
【００４０】
ここでは、不確かさの要因の内、比較的大きな影響を与える要因を対象として不確かさを見積もる場合を例示したが、他の不確かさの要因に対しても同様の見積もり手法が適用できる。そして、不確かさの要因を網羅的に見積りの対象に加えることで、ＪＣＳＳレベルの校正も可能になる。
【００４１】
なお、ここでは、電子非自動はかりの校正を例に説明したが、本発明の不確かさを表示する校正方法は、長さ、力、圧力、電流・電圧、温度、光度、湿度、加速度、密度等を計測する多くの計測器に適用できる。
図１１のフロー図は、本発明を適用して計測器一般の校正を行う場合の手順を示している。
まず、入力手段から入力された、校正する計測器の測定範囲と最小測定単位との情報を含む被校正計測器の種別情報を記憶手段で保持し（ステップ１０１）、入力手段から入力された、校正作業場所の情報を含む校正作業環境情報を記憶手段で保持し（ステップ１０２）、入力手段から選択された、被校正計測器の校正に使用する標準器の登録された情報から使用標準器の不確かさ情報を取得し（ステップ１０３）、また、入力手段から入力された、温度のデータを含む気象環境情報を記憶手段で保持する（ステップ１０４）。
次いで、前記使用標準器を用いて所要の測定を行い、測定された前記被校正計測器の測定結果を取得して記憶手段で保持し（ステップ１０５）、記録手段に保持されている不確かさ算出式の中から、前記被校正計測器の種別情報及び校正作業環境情報に基づいて、算出に使用する不確かさ算出式を選定し、前記使用標準器の不確かさ情報、気象環境情報及び被校正計測器の測定結果を用いて、前記被校正計測器の測定値の不確かさを算出し、算出結果を記憶手段で保持する（ステップ１０６）。また、必要に応じて、不確かさを伴う校正結果を表示する（ステップ１０７）。
【００４２】
また、この場合に、校正する計測器の測定範囲と最小測定単位との情報を含む被校正計測器の種別情報の入力を促す入力画面を表示手段に表示し、校正作業場所の情報を含む校正作業環境情報の入力を促す入力画面を表示手段に表示し、記憶手段に予め登録された標準器の一覧情報を表示して被校正計測器の校正に使用する標準器の選択を促す選択画面を表示手段に表示し、温度のデータを含む気象環境情報の入力を促す入力画面を表示手段に表示し、また、使用標準器を用いて測定する被校正計測器での測定手順を表示手段で案内することにより、ユーザの校正時の動作が、より簡単になり、また、間違わずに校正の操作を行うことができる。
こうした校正方法は、コンピュータの動作を規定するプログラムによりコンピュータに実行させることができる。また、このプログラムが記録された記録媒体をコンピュータに装着し、コンピュータにプログラムをインストールすることで、多数のコンピュータにこの校正方法を行わせることが可能になる。
【産業上の利用可能性】
【００４３】
本発明のコンピュータプログラム及び記録媒体は、計測器を校正するときに、国際的に通用する「不確かさ」の情報が簡単に得られるようにしており、電子非自動はかりを始めとして、長さ、力、圧力、電流電圧、温度、光度、湿度、加速度、密度等を計測する各種の計測器の校正に極めて有用である。
【図面の簡単な説明】
【００４４】
【図１】本発明の実施形態に係る校正方法を実施するＰＣの構成を示すブロック図
【図２】本発明の実施形態に係る校正方法の手順を示すフロー図
【図３】図２のステップ７の手順を示すフロー図
【図４】図３のステップ７１の手順を示すフロー図
【図５】図３のステップ７２の手順を示すフロー図
【図６】図３のステップ７３の手順を示すフロー図
【図７】図３のステップ７４の手順を示すフロー図
【図８】図３のステップ７５の手順を示すフロー図
【図９】図３のステップ７６の手順を示すフロー図
【図１０】図３のステップ７７の手順を示すフロー図
【図１１】本発明の校正方法を一般計測器に適用したときの手順を示すフロー図
【図１２】偏値荷重の検査手順を説明する図
【図１３】本発明の実施形態に係るＧＵＩ画面を示す図（メニュー画面）
【図１４】本発明の実施形態に係るＧＵＩ画面を示す図（はかり登録画面）
【図１５】本発明の実施形態に係るＧＵＩ画面を示す図（分銅登録画面）
【図１６】本発明の実施形態に係るＧＵＩ画面を示す図（一般事項入力画面）
【図１７】本発明の実施形態に係るＧＵＩ画面を示す図（校正前点検画面）
【図１８】本発明の実施形態に係るＧＵＩ画面を示す図（使用分銅登録画面）
【図１９】本発明の実施形態に係るＧＵＩ画面を示す図（校正開始画面）
【図２０】本発明の実施形態に係るＧＵＩ画面を示す図（前負荷登録画面）
【図２１】本発明の実施形態に係るＧＵＩ画面を示す図（繰返し性検査画面）
【図２２】本発明の実施形態に係るＧＵＩ画面を示す図（偏値荷重検査画面）
【図２３】本発明の実施形態に係るＧＵＩ画面を示す図（正確さ検査画面）
【図２４】本発明の実施形態に係るＧＵＩ画面を示す図（温度特性画面）
【図２５】本発明の実施形態に係るＧＵＩ画面を示す図（不確かの見積り表画面）
【図２６】本発明の実施形態に係るＧＵＩ画面を示す図（校正結果画面）
【図２７】本発明の実施形態に係るＧＵＩ画面を示す図（校正結果印刷設定画面）
【図２８】本発明の実施形態に係る校正結果書面を示す図
【図２９】校正証明書を示す図
【図３０】はかり校正の不確かさ要因を説明する図
【符号の説明】
【００４５】
１０  ＰＣ
１１  記録媒体読取装置
１３  ＣＰＵ
１４  メモリ
１５  Ｉ／Ｆ
１６  印字部
１７  ＧＵＩ
１８  入力部
１９  記録装置
２０  キーボード
２１  マウス
２２  表示器
３０  プリンタ
４０  電子非自動はかり
【図１】
2009074830.tif 000003
【図２】
2009074830.tif 000004
【図３】
2009074830.tif 000005
【図４】
2009074830.tif 000006
【図５】
2009074830.tif 000007
【図６】
2009074830.tif 000008
【図７】
2009074830.tif 000009
【図８】
2009074830.tif 000010
【図９】
2009074830.tif 000011
【図１０】
2009074830.tif 000012
【図１１】
2009074830.tif 000013
【図１２】
2009074830.tif 000014
【図３０】
2009074830.tif 000015
【図１３】
2009074830.tif 000016
【図１４】
2009074830.tif 000017
【図１５】
2009074830.tif 000018
【図１６】
2009074830.tif 000019
【図１７】
2009074830.tif 000020
【図１８】
2009074830.tif 000021
【図１９】
2009074830.tif 000022
【図２０】
2009074830.tif 000023
【図２１】
2009074830.tif 000024
【図２２】
2009074830.tif 000025
【図２３】
2009074830.tif 000026
【図２４】
2009074830.tif 000027
【図２５】
2009074830.tif 000028
【図２６】
2009074830.tif 000029
【図２７】
2009074830.tif 000030
【図２８】
2009074830.tif 000031
【図２９】
2009074830.tif 000032